(57)【要約】  本発明は、保護具が装着された衝撃吸収式刈払機の安全刃ユニットに関するものであって、刈払機の作業台の端部に設置された駆動部の駆動軸に固定されて前記駆動軸と共に回転するハウジングと、前記ハウジングに設けられるものであって、前記ハウジングの回転によって雑草を切断することができるように前記ハウジングの外側へ突出し、障害物との衝突時に破損することを防止することができるように前記ハウジングの内側へ引き込まれる複数のカッター部と、前記カッター部が前記ハウジングの内側へ引き込まれる時、前記カッター部が外側へ突出して復帰可能に前記カッター部に弾性力を提供する弾性部とを備える。本発明による保護具が装着された衝撃吸収式刈払機の安全刃ユニットは、カッター部がハウジングに引き込み可能に設置され、弾性部が、前記カッター部がハウジングの外部へ突出するように支持するため、カッター部が砂利や構造物に衝突する時、ハウジングの内側へ引き込まれて砂利が飛び散ったり、カッター部が損傷することが防止され、大きな植物との衝突時には弾性部から提供される弾性力によって、より大きな力で植物を叩き切るため、刈払効率が向上するというメリットがある。
2018517437.tif 000002
【特許請求の範囲】
【請求項１】
刈払機の作業台の端部に設置された駆動部の駆動軸に固定されて前記駆動軸と共に回転するハウジングと；前記ハウジングに設けられるものであって、前記ハウジングの回転によって雑草を切断することができるように前記ハウジングの外側へ突出し、障害物との衝突時に破損することを防止することができるように前記ハウジングの内側へ引き込まれる複数のカッター部と；前記カッター部が前記ハウジングの内側へ引き込まれる時、前記カッター部が外側へ突出して復帰可能に前記カッター部に弾性力を提供する弾性部；とを備えることを特徴とする、保護具が装着された衝撃吸収式刈払機の安全刃ユニット。
【請求項２】
前記弾性部は、一端が前記ハウジングに支持される支持部分と、前記支持部分の他端から延長され、所定の弾性を有するように少なくとも１回以上巻き取られた螺旋状に形成された弾性部分を備え、前記カッター部は、前記ハウジングの回転によって雑草を切断することができるように前記弾性部分から前記ハウジングの外側へ延長されたことを特徴とする、請求項１に記載の保護具が装着された衝撃吸収式刈払機の安全刃ユニット。
【請求項３】
前記カッター部は、一端部においてハウジングに形成された設置棒に挿入されるブッシュ部材に貫通口が形成され、他端部に切断刃が形成されたことを特徴とする、請求項１に記載の保護具が装着された衝撃吸収式刈払機の安全刃ユニット。
【請求項４】
前記弾性部は、前記ハウジングに支持される支持部分と、前記支持部分から連続され、ハウジングに形成された設置棒のブッシュ部材に挿入可能に１回以上巻き取られた弾性部分と、弾性部分から連続され、前記カッター部に形成された長孔に挿入される結合部分からなることを特徴とする、請求項３に記載の保護具が装着された衝撃吸収式刈払機の安全刃ユニット。
【請求項５】
刈払機の作業台の端部に設置された駆動部の駆動軸に固定されて前記駆動軸と共に回転し、円周方向に設置棒が形成された下部カバーと、前記下部カバーと結合される結合プレートからなるハウジングと；前記ハウジングの回転によって雑草を切断することができるように前記ハウジングの外側へ突出し、障害物との衝突時に破損することを防止可能に前記ハウジングの内側へ引き込まれるように回転するものであって、一端に貫通口が形成されて設置棒に挿入され、他端に切断刃が形成されたカッター部と、前記ハウジングに支持される支持部分と、前記支持部分から連続され、ハウジングに形成された設置棒が挿入可能に１回以上巻き取られた弾性部分と、弾性部分から連続され、前記カッター部に形成された長孔に挿入される結合部分からなる弾性部とを備えたことを特徴とする、保護具が装着された衝撃吸収式刈払機の安全刃ユニット。
【請求項６】
前記ハウジングには、前記弾性部の支持部分が挿入される挿入溝が形成されて前記支持部分が挿入支持されたことを特徴とする、請求項５に記載の保護具が装着された衝撃吸収式刈払機の安全刃ユニット。
【発明の詳細な説明】
【技術分野】
【０００１】
本発明は、保護具が装着された衝撃吸収式刈払機の安全刃ユニットに関し、さらに詳しくは、刈払機の駆動軸に設置されて駆動軸と共に回転しながら刈払い作業を行う、保護具が装着された衝撃吸収式刈払機の安全刃ユニットに関する。
【背景技術】
【０００２】
一般的に、田畑などの畦に生長する雑草、墓とその周辺に成長する雑草を除去するのに刈払機が用いられている。
【０００３】
従来の先行技術として韓国登録特許公報第１０‐１０３０２５１号には刈払機草刈装置が開示されている。前記刈払機草刈装置は、刈払機の刈刃が草刈りの途中、強い衝撃を受けて後ろに反り返る時、刈刃の背を支持することにより衝撃を吸収することができるように菱形に形成された回転ディスクと、上部刈刃と前記上部刈刃よりさらに長く形成された下部刈刃で構成されている刈払機の刈刃を備える。
【０００４】
韓国登録実用新案公報第２０‐０３９３１２５号には刈払機用刈刃が開示されている。前記刈払機用刈刃は、前記回転軸に結合される締結孔が中央に形成された円板部の底面に複数の刃を放射状に設置するが、刃の一端を遠心力により広がり可能にリベットで固定設置している。
【０００５】
また、韓国登録特許公報第１０‐１３１７８３２号には刈払機の刈刃が開示されている。そして、韓国登録特許公報第１０‐１４６９８２１号には簡単に交換使用可能な芝刈機が開示されている。前記刈払機の刈刃は、作業台の端部に装着されて回転する回転胴体に回動可能に設置されて回転胴体の回転時、遠心力により端部が前記回転胴体の外側へ突出する切断刃を備える。
【０００６】
前述のように、本体に回動可能に設置され、本体の遠心力により突出する刈払機用刈刃の場合は、低速で本体を回転させたり、大きな植物に刈刃が衝突する時、刈刃が本体の内側へ畳まれて刈払い作業が円滑に行われないという欠点がある。また、植物に対する切断力を増加させるために、刈刃の重量を増やしたり、本体の回転速度を高めることもできるが、この場合、切断力は向上するが、硬い異物が刈刃と衝突する時に刈刃が破損したり、異物または刈刃の破片が飛び散って安全事故が発生することもある。
【発明の概要】
【発明が解決しようとする課題】
【０００７】
本発明は前記のような問題点を改善するためのものであって、ハウジングに回動可能に設置されたカッターに弾性力を提供して切削力を向上させることができる保護具が装着された衝撃吸収式刈払機の安全刃ユニットを提供することにその目的がある。
【課題を解決するための手段】
【０００８】
前記目的を達成するための保護具が装着された衝撃吸収式刈払機の安全刃ユニットは、刈払機の作業台の端部に設置された駆動部の駆動軸に固定されて前記駆動軸と共に回転するハウジングと;
前記ハウジングに設けられるものであって、前記ハウジングの回転によって雑草を切断することができるように前記ハウジングの外側へ突出するが、障害物との衝突時に破損することを防止可能に前記ハウジングの内側へ引き込まれるように変形される複数のカッター部と；
前記カッター部に設けられるものであって、前記カッター部が前記ハウジングの内側へ引き込まれる時、前記カッター部が外側へ突出して復帰可能に前記カッター部に弾性力を提供する複数の弾性部；とを備えることをその特徴とする。
【０００９】
前記弾性部は、一端が前記ハウジングに支持される支持部分と、前記支持部分の他端から延長され、所定の弾性を有するように少なくとも１回以上巻き取られた螺旋状に形成された弾性部分を備え、前記カッター部は、前記ハウジングの回転によって雑草を切断することができるように前記弾性部分から前記ハウジングの外側へ延長される。
【００１０】
前記カッター部は、一端においてハウジングに形成された設置棒に挿入される貫通口が形成され、他端には切断刃が形成される。
【００１１】
前記目的を達成するための本発明による保護具が装着された衝撃吸収式刈払機の安全刃ユニットは、刈払機の作業台の端部に設置された駆動部の駆動軸に固定されて前記駆動軸と共に回転し、円周方向に設置棒が形成された下部カバーと、前記下部カバーと結合される結合プレートからなるハウジングと；
前記ハウジングに設けられるものであって、前記ハウジングの回転によって雑草を切断することができるように前記ハウジングの外側へ突出するが、障害物との衝突時に破損することを防止可能に前記ハウジングの内側へ引き込まれるように回転するものであって、一端に貫通口が形成されて設置棒に挿入され、他端に切断刃が形成されたカッター部と、
前記ハウジングに支持される支持部分と、前記支持部分から連続され、ハウジングに形成された設置棒が挿入可能に１回以上巻き取られた弾性部分と、弾性部分から連続され、前記カッター部に形成された長孔に挿入される結合部分からなる弾性部を備える。
【発明の効果】
【００１２】
本発明による保護具が装着された衝撃吸収式刈払機の安全刃ユニットは、カッター部が突出した状態でハウジングが回転し、刈払い作業の際、硬い異物に衝突すると、衝撃により前記カッター部がハウジングの内側へ引き込まれ、弾性部の弾性力により再び外側へ自動復帰するように形成されているため、刈刃が弾性部から提供される弾性力によって、より大きな力で植物を叩き切るので刈払効率が向上する。
【００１３】
そして、本発明はカッター部を比較的に小さくて軽い素材で製造することができるため、異物との衝突時、その衝撃が相対的に小さくて安全である。
【００１４】
また、本発明は前述のようにカッター部が硬い異物と衝突する時、ハウジングの内側へ引き込まれるようになり、衝撃によりカッター部が損傷したり、異物や刈刃の一部が作業者に飛び散ることを防止して安全である。
【００１５】
そして、本発明はハウジングを低速で回転させても植物に対する切削力が高くてメンテナンスコストが節減され、カッター部及びハウジングを比較的に小さくて軽い素材で製造することができ、全重量が比較的に少ないため、作業者にとって携帯が容易である。
【００１６】
また、本発明はカッター部が比較的に安価であり、磨耗したカッター部のみを交換して用いることができるため、メンテナンスコストが節減されるというメリットがある。
【図面の簡単な説明】
【００１７】
【図１】本発明による保護具が装着された衝撃吸収式刈払機の安全刃ユニットに対する斜視図である。
【図２】図１の保護具が装着された衝撃吸収式刈払機の安全刃ユニットに対する分離斜視図である。
【図３】図１の保護具が装着された衝撃吸収式刈払機の安全刃ユニットの作動状態を示した断面図である。
【図４】本発明のまた他の実施例による保護具が装着された衝撃吸収式刈払機の安全刃ユニットに対する分離斜視図である。
【図５】図４の保護具が装着された衝撃吸収式刈払機の安全刃ユニットの作動状態を示した断面図である。
【図６】本発明のまた他の実施例による保護具が装着された衝撃吸収式刈払機の安全刃ユニットに対する分離斜視図である。
【図７】図６の保護具が装着された衝撃吸収式刈払機の安全刃ユニットの作動状態を示した断面図である。
【図８】本発明のまた他の実施例による保護具が装着された衝撃吸収式刈払機の安全刃ユニットに対する分離斜視図である。
【図９】本発明のまた他の実施例による保護具が装着された衝撃吸収式刈払機の安全刃ユニットに対する断面図である。
【図１０】本発明のまた他の実施例による保護具が装着された衝撃吸収式刈払機の安全刃ユニットに対する断面図である。
【図１１】本発明のまた他の実施例による保護具が装着された衝撃吸収式刈払機の安全刃ユニットに対する分離斜視図である。
【図１２】本発明のまた他の実施例による保護具が装着された衝撃吸収式刈払機の安全刃ユニットに対する分離斜視図である。
【発明を実施するための形態】
【００１８】
本発明による保護具が装着された衝撃吸収式刈払機の安全刃ユニットをさらに詳細に説明すれば、次のとおりである。
【００１９】
図１〜図３には、本発明による保護具が装着された衝撃吸収式刈払機の安全刃ユニット１００が示されている。
【００２０】
図面によれば、保護具が装着された衝撃吸収式刈払機の安全刃ユニット１００は、刈払機の作業台１０に設置されて雑草を切断するものであって、刈払機の作業台１０の端部に設けられた駆動部に設置される。前記駆動部は、作業台１０の先端部に回転可能に設置された駆動軸１１と、前記駆動軸１１を回転させるための駆動モータとを備える。
【００２１】
本発明による保護具が装着された衝撃吸収式刈払機の安全刃ユニット１００は、作業台１０の端部に設置された駆動部の駆動軸１１に固定されて前記駆動軸１１と共に回転するハウジング２００と、前記ハウジング２００に設けられるものであって、前記ハウジング２００の回転によって雑草を切断することができるように前記ハウジング２００の外側へ突出するが、障害物との衝突時に破損することを防止可能に前記ハウジング２００の内側へ引き込まれるように変形される複数のカッター部３１０と、前記ハウジング２００に設置されて前記カッター部３１０が前記ハウジング２００の外側へ突出するように前記カッター部３１０を弾性的に支持する複数の弾性部３２０とを備える。
【００２２】
ハウジング２００は、前記駆動軸１１に設置される結合プレート２１０と、前記結合プレート２１０の下部に設置される下部カバー２２０とを備える。そして、前記結合プレートの上部側には結合プレート２１０のように下部カバー２２０と結合されるカバー部材２３０を備える。
【００２３】
前記結合プレート２１０は、所定の厚さを有する円板状に形成され、中央部には前記駆動軸１１が挿入可能に上下方向に貫通されるように結合孔２１１が形成されている。結合孔２１１を通じて前記結合プレート２１０に貫通された駆動軸１１の端部に結合ナット１２を締結して結合プレート２１０が駆動軸１１と共に回転するように駆動軸１１に結合プレート２１０を固定させる。前記結合プレート２１０は下部カバー２２０にインサートモールディングされて結合されることができる。
【００２４】
前述のように構成された前記結合プレート２１０は、障害物と衝突しても堅固に外形を保持することができるように所定の強度を有する金属性または非金属性素材で形成されることが好ましい。
【００２５】
下部カバー２２０は、中央に駆動軸１１が位置可能に中空２２４が形成されたベースプレート２２１と、中空２２４の縁に沿って延長され、ベースプレート２２１に対して上方へ延長されて結合プレート２１０を支持する支持部２２２とを備える。
【００２６】
ベースプレート２２１は、所定の外径を有する環状に形成され、所定の強度を有し、成形性に優れたプラスチックのような合成樹脂材で形成されている。前記ベースプレート２２１は、上面に弾性部３２０が結合可能に複数の設置棒２２３を備えるが、前記設置棒２２３には円筒状のブッシュ部材２２３ａが挿入される。
【００２７】
前記設置棒２２３は、ベースプレート２２１の中心を基準として円周方向に沿って互いに離隔して形成される。また、設置棒２２３は、ベースプレート２２１の上面に対して上方へ突出するが、上面が結合プレート２１０の下面に支持可能に上端部が支持部２２２の上面と同一の高さに位置するように延長されることが好ましい。
【００２８】
この時、設置棒２２３の上面には、結合プレート２１０を貫通した固定ボルト２２６が締結可能に締結孔２２５が形成されている。前記締結孔２２５は、設置棒２２３の上面に下方へ所定の深さで引き込まれ、固定ボルト２２６がねじ結合可能に内周面にねじ山が形成されている。
【００２９】
一方、ベースプレート２２１は、前記ハウジング２００の回転方向を基準として前記回転カッターに対して前方へ離隔した位置に設置されるものであって、前記回転カッターが前方へ変形して前記ハウジング２００の内側へ引き込まれることを防止することができるように前記カッター部３１０を干渉する複数の遮蔽ブロック（不図示）が設置されることもできる。すなわち、前記遮蔽ブロックは、カッター部３１０を干渉して後述の弾性部３２０の弾性部分３２２が限界点以上に広がることを防止する。前記遮蔽ブロックは、ハウジング２００の回転方向を基準として設置棒２２３の前方側ベースプレート２２１の上面に上方へ突出するように形成されることができる。
【００３０】
前記弾性部３２０は、ベースプレート２２１に形成された設置棒２２３に挿入されたブッシュ部材２２３ａにそれぞれ設置される。前記弾性部３２０は、一端が前記ハウジング２００に支持される支持部分３２１と、前記支持部分３２１の他端から延長され、所定の弾性を有するように前記ハウジング２００に設けられたブッシュ部材２２３ａに複数回巻き取られた螺旋状に形成された弾性部分３２２とを備える。
【００３１】
前記支持部分３２１は一端が支持部材２２２の側面に接触し、他端は前記設置棒２２３に隣接する方向に延長される。一方、図面に示されてはいないが、ベースプレート２２１の上面には、前記支持部分３２１が挿入可能に挿入溝が上面に形成された支持ブロックが形成されることもできる。
【００３２】
弾性部分３２２は支持部分３２１の他端に延長され、設置棒２２３に挿入されたブッシュ部材２２３ａの外周面に複数回巻き取られた螺旋状に延長される。前述の弾性部３２０は所定の弾性を有する素材で形成されることが好ましい。螺旋状に形成された弾性部分３２２により発生した弾性力はカッター部３１０に提供される。
【００３３】
一方、図示された例では、弾性部３２０が設置棒２２３に挿入されたブッシュ部材２２３ａに固定された構造を示したが、弾性部３２０は図示された例に限定するものではなく、支持部分３２１のみが下部カバー２２０に固定されることもできる。
【００３４】
カッター部３１０は、前記ハウジング２００の回転によって雑草を切断することができるように前記弾性部分３２２からベースプレート２２１の外側へ突出するように延長形成される。前記カッター部３１０は、端部がハウジング２００の回転方向に所定の角度で折れ曲がるように形成されることが好ましい。前述のように、カッター部３１０の端部が折れ曲がっているため、雑草の切断をより効率的に行うことができる。
【００３５】
前述のように構成された本発明による保護具が装着された衝撃吸収式刈払機の安全刃ユニット１００は、ハウジング２００が回転する時、カッター部３１０がハウジング２００の外部へ突出して雑草を切断する。この時、カッター部３１０がハウジング２００に引き込み可能に変形され、弾性部３２０が、前記カッター部３１０がハウジング２００の外部へ突出するように支持するため、カッター部３１０が砂利や構造物に衝突する時、ハウジング２００の内側へ引き込まれて砂利が飛び散ったり、カッター部３１０が損傷することが防止され、大きな植物との衝突時には弾性部３２０から提供される弾性力によって、より大きな力で植物を叩き切るため、刈払効率が向上するというメリットがある。
【００３６】
一方、図４及び図５には、本発明のまた他の実施例によるカッター部４１０及び弾性部４２０が示されている。
【００３７】
先立って図示した図面と同じ機能をする要素は、同一の参照符号を付して表記する。
【００３８】
図面によれば、カッター部４１０は、端部が前記ハウジング２００の外部へ突出するように前記ハウジング２００に回動可能に設置される。前記カッター部４１０は金属板からなるものであって、一端に前記設置棒２２３に挿入されたブッシュ部材２２３ａが貫通して挿入可能に貫通口４１１が形成されて設置棒２２３を中心として回動可能にハウジング２００に設置される。この時、前記カッター部４１０は、より効率的に雑草を切断するために、他端部がハウジング２００の回転方向を基準として前方へ所定の角度で折れ曲がるように形成されることもできる。
【００３９】
また、カッター部４１０は、他端部の前方には雑草に対するより強い切断力を提供することができるように切断刃４１２が形成されている。前記切断刃４１２は、図７に示されたようにカッター部４１０の前端部及び後端部にそれぞれ形成されることもできる。
【００４０】
弾性部４２０は、一端が前記ハウジング２００に支持される支持部分４２１と、前記支持部分４２１の他端から延長され、所定の弾性を有するように前記ハウジング２００に設けられた設置棒２２３に少なくとも１回以上巻き取られた螺旋状に形成された弾性部分４２２と、弾性部分４２２の端部に形成されてカッター部４１０に支持される結合部分４２３とを備える。
【００４１】
前記支持部分４２１は、一端が支持部材２２２の側面に接触し、他端は前記設置棒２２３に隣接する方向に延長される。
【００４２】
図６及び図７に示されたように、弾性部４２０の支持部分４２１は下部カバー２２０に別途のリブにより形成された支持溝２２８が形成されて、これに挿入されることにより支持され、前記弾性部４２０の結合部分４２３はカッター部に形成された長孔４１５に挿入されて支持されることができる。ここで、前記ハウジング２００の下部カバー２２０には遮蔽ブロック２２７が形成される必要がない。すなわち、弾性部材の支持部分４２１と結合部分４２３が支持された状態であるため、カッター部４１０がハウジング２００から半径方向に突出した状態を保持することとなる。
【００４３】
前記実施例において、弾性部分４２２は支持部分４２１の他端に延長され、設置棒２２３またはそれに挿入されたブッシュ部材２２３ａの外周面に少なくとも１回以上巻き取られた螺旋状に延長される。
【００４４】
一方、図示された例では、弾性部分４２２が設置棒２２３に挿入されたブッシュ部材２２３ａに複数回巻き取られた構造を図示したが、弾性部分４２２はこれに限るものではなく、設置棒２２３の外周面に１回巻き取られることもできる。
【００４５】
前述の弾性部４２０は、所定の弾性を有する素材で形成されることが好ましい。螺旋状に形成された弾性部分４２２により発生した弾性力はカッター部４１０に提供される。
【００４６】
前述のように構成された刈払機の安全刃ユニット１００は、ハウジング２００が回転する時、カッター部４１０がハウジング２００の外部へ突出して雑草を切断する。この時、カッター部４１０がハウジング２００に引き込み及び引き出し可能に設置棒２２３に挿入されたブッシュ部材２２３ａに回転可能に支持され、弾性部４２０は、前記カッター部４１０をハウジング２００の外部へ突出するように支持されているため、カッター部４１０が砂利や構造物に衝突する時、ハウジング２００の内側へ引き込まれて砂利が飛び散ったり、カッター部４１０が損傷することが防止され、大きな植物との衝突時には、弾性部４２０から提供される弾性力によって、より大きな力で植物を叩き切るため、刈払効率が向上するというメリットがある。
【００４７】
一方、図８には、本発明による他の実施例の弾性部５１０及びカッター部５２０が示されている。
【００４８】
図面によれば、弾性部５１０は、一端が前記ハウジング２００に支持される支持部分５１１と、前記支持部分５１１の他端から延長され、所定の弾性を有するように前記ハウジング２００に設けられた設置棒２２３に設置される弾性部分５１２とを備える。
【００４９】
前記支持部分５１１は所定の上下幅を有する板状に形成され、一端が支持部材２２２の側面に接触し、他端は前記設置棒２２３に隣接する方向に延長される。
【００５０】
一方、支持部分５１１の他端部は、設置棒２２３に対して後方へ離隔した位置のベースプレート２２１に形成された補助棒２９７の外周面を囲むように湾曲して形成されている。
【００５１】
弾性部分５１２は支持部分５１１の他端に延長され、ベースプレート２２１の支持部材２２２から遠くなる方向に延長される。弾性部分５１２は、設置棒２２３と遮蔽ブロック２２７との間に挿入されて設置棒２２３に支持される。前述の弾性部５１０は所定の弾性を有する素材で形成されることが好ましい。ここで、前記遮蔽ブロック２２７は別途に形成されないこともある。
【００５２】
カッター部５２０は弾性部分５１２の端部に、ベースプレート２２１の外側へ突出するように延長される。前記カッター部５２０は弾性部５１０と一体に形成され、幅の狭い上端部が前方に位置するように捻れて形成する。
【００５３】
一方、図９には、本発明のまた他の実施例による弾性部４９０が示されている。
【００５４】
図面によれば、弾性部４９０は一端がカッター部４１０に結合され、他端部は遮蔽ブロック２２７に固定される。この時、弾性部４９０は、前記カッター部４１０がハウジング２００の回転方向を基準として後方へ回動時に伸張され、前記カッター部４１０に圧縮される方向に弾性力を提供する引張スプリングが適用される。
【００５５】
また、前記弾性部４９０は図１０に示したように、一端がカッター部４１０に結合され、他端部はカッター部４１０の後方側前記ベースプレート２２１に結合されることもできる。この時、弾性部４９０は、一端部がカッター部４１０の回転中心からハウジング２００の回転中心側へ離隔した位置に設置され、前記カッター部４１０がハウジング２００の回転方向を基準として後方へ回動時に伸張され、前記カッター部４１０に圧縮される方向に弾性力を提供する引張スプリングが適用される。
【００５６】
一方、図面に示されてはいないが、弾性部４９０は、一端部がカッター部４１０の回転中心からハウジング２００の外側へ離隔した位置に設置され、前記カッター部４１０がハウジング２００の回転方向を基準として後方へ回動時に圧縮され、前記カッター部４１０に伸長される方向に弾性力を提供する圧縮スプリングが適用されることもできる。
【００５７】
一方、図１１には、本発明のまた他の実施例による弾性部６１０が示されている。
【００５８】
図面によれば、前記弾性部６１０は、前記ハウジングに形成された結合突起６１４に結合される結束部分６１１と、前記ハウジングの回転方向を基準として前記カッター部の後端部に接するように前記結束部分６１１から延長され、前記カッター部が前方へ回動されるように弾性力を提供する接触部分６１２とを備える。前記結合突起６１４は、設置棒２２３に隣接した位置のベースプレート２２１にそれぞれ設置されるものであって、ベースプレート２２１の下面に対して上方へ突出し、楕円状に形成される。
【００５９】
結束部分６１１は、結合突起６１４の外周面を囲むように結合可能に結合突起６１４に対応される楕円状に延長形成される。前記結束部分６１１は所定の弾性力を有する素材で形成されることが好ましい。
【００６０】
接触部分６１２は、結束部分６１１の端部からカッター部の後端部に接するように湾曲して延長される。前記接触部分６１２は結束部分６１１と一体に形成され、端部に作業者が把持して容易に曲げることができるようにカッター部から遠くなる方向に折れ曲がった把持部分６１３が形成されている。
【００６１】
この時、図面に示された例では、カッター部において前後端部にそれぞれ切断刃が形成された構造が図示されているが、カッター部は前端部にのみ切断刃が形成されることもできる。
【００６２】
ハウジングの回転時、弾性部の弾性力によりカッター部は端部がハウジングの外部へ突出した状態で回転する。この時、カッター部は、比較的に大きな雑草と衝突する場合、所定の角度で後方へ回動されるが、カッター部の後退により接触部分６１２は後方へ曲がり、接触部分６１２が曲がっただけに弾性力が発生してカッター部に提供される。
【００６３】
一方、図１２には、本発明のまた他の実施例による結束部分６２０が示されている。
【００６４】
図面によれば、結束部分６２０は、結合突起６２１に形成された固定溝６２２に挿入されるように形成されている。前記固定溝６２２は、結合突起６２１の後端部の縁から前方側へ所定の深さで引き込まれるように形成され、結束部分６２０が容易に挿入可能に上部が開放されるように形成されている。また、結合突起６２１は、固定溝６２２の前端部にハウジング２００の回転中心から遠くなる方向に折れ曲がるように延長された結束溝６２３が形成されている。
【００６５】
結束部分６２０は固定溝６２２に対応するように前後方向に延長形成され、前端部が結束溝６２３に挿入可能にハウジング２００の回転中心から遠くなる方向に折れ曲がるように形成される。結束部分６２０の前端部が結束溝６２３に挿入されるため、ハウジング２００の回転により弾性部６１０が結合突起６２１から分離することが防止される。
【００６６】
一方、図面に示されてはいないが、結束溝６２３及び結束部分６２０の前端部はハウジング２００の回転中心に隣接する方向に折れ曲がるように延長されることもできる。
【００６７】
本発明は図面に示された実施例を参考として説明されたが、これは例示的なものに過ぎず、該技術分野において通常の知識を有する者であれば、これにより多様な変形及び均等な実施例が可能であるという点を理解すべきである。
【００６８】
したがって、本発明の真の保護範囲は、添付の特許請求の範囲によってのみ定められるべきである。
【図１】
2018517437.tif 000003
【図２】
2018517437.tif 000004
【図３】
2018517437.tif 000005
【図４】
2018517437.tif 000006
【図５】
2018517437.tif 000007
【図６】
2018517437.tif 000008
【図７】
2018517437.tif 000009
【図８】
2018517437.tif 000010
【図９】
2018517437.tif 000011
【図１０】
2018517437.tif 000012
【図１１】
2018517437.tif 000013
【図１２】
2018517437.tif 000014
【国際調査報告】
2018517437.tif 000015
2018517437.tif 000016
2018517437.tif 000017
2018517437.tif 000018